(57)【要約】【課題】ＰＨＳ対応レピータ基地局と接続先基地局間の通話チャネル接続までの時間の短縮を図る接続方式を提供すること。【解決手段】起動時に、接続基地局３が発信する制御チャネル情報をサーチする手段１６ａにより得た情報を元に、接続先基地局３を手段１６ｂにより各無線ユニット１４に割り当て、手段１６ｃにより各割り当て無線ユニット１４を介してレピータ基地局２と接続先基地局３の通話チャネルを予め接続しておく。【選択図】  図１
2004254177.tif 000002
【特許請求の範囲】
【請求項１】
起動時に、周辺の接続先基地局が発信している制御チャネル情報をサーチする手段と、サーチした制御チャネル情報を元に接続先基地局を接続先基地局との通信用の各無線ユニットに割り当てる手段と、接続先基地局との通信用の各無線ユニットに割り当てられた接続先基地局に通話チャネルの接続をしておく手段を有することを特徴とするＰＨＳ対応レピータ基地局における接続方式。
【請求項２】
前記手段により接続先基地局と接続されていた通話チャネルが切断されたとき、前記手段により得られる接続先基地局を接続先基地局との通信用の各無線ユニットの割当て情報に基づき、次候補の接続先基地局へ通話チャネルの接続を行うことを特徴とする請求項１記載のＰＨＳ対応レピータ基地局における接続方式。
【発明の詳細な説明】
【０００１】
【発明の属する技術分野】
本発明は、ＰＨＳ対応レピータ基地局における接続方式に関する。
【０００２】
【従来の技術】
図６は従来のＰＨＳ対応レピータ基地局を中心とするＰＨＳシステムの構成を示すブロック図である。ＰＨＳ移動局（ＰＳ）１はＰＨＳ対応レピータ基地局（レピータ基地局）２と、レピータ基地局２はＰＨＳ対応基地局（接続先基地局）３と、無線により通信を行う。すなわち、レピータ基地局２には、ＰＳ１〜レピータ基地局２間と、レピータ基地局２〜接続先基地局３間の２つの無線区間がある。
【０００３】
従来のレピータ基地局２では、ＰＳ１から発呼のための通話チャネル割当の要求（リンクチャネル確立要求）を受信するたびに、まず、レピータ基地局２〜接続先基地局３間の通話チャネルの割当を行い、その後にＰＳ１〜レピータ基地局２間の通話チャネルの割当を行う。
【０００４】
レピータ基地局２は、ＰＳ１から発呼のためのリンクチャネル確立要求を受信すると、接続先基地局３を選択するために、周辺の接続先基地局３のサーチを行う。このサーチ結果に基づき、レピータ基地局２において一番受信レベルの高い接続先基地局３へ通話チャネルの割当の要求（リンクチャネル確立要求）を送る。
【０００５】
レピータ基地局２からリンクチャネル確立要求を受けた接続先基地局３は、レピータ基地局２との通話を行うためのタイムスロットに空きがない場合には、リンクチャネル確立要求に対し、レピータ基地局２への応答で拒否（リンクチャネル割当拒否）を返す。
【０００６】
リンクチャネル割当拒否に対処するため、レピータ基地局２は、サーチを行ったときに複数の接続先基地局３を候補として選んでおき、リンクチャネル割当拒否が返ってきた場合は、次の候補の接続先基地局３へリンクチャネル確立要求を送る。
【０００７】
レピータ基地局２からある接続先基地局３へリンクチャネル確立要求を送り、その接続先基地局３からレピータ基地局２へリンクチャネル割当の応答があれば、その接続先基地局３とレピータ基地局２は通話チャネルの接続（ＴＣＨ接続）を行う。レピータ基地局２は接続先基地局３とのＴＣＨ接続を行った後、ＰＳ１にリンクチャネル割当の応答を返す。
【０００８】
このようにして、ＰＳ１〜レピータ基地局２〜接続先基地局３の間の通話が可能となる。
【０００９】
図７はＰＳ１から接続要求があった時の上記の動作を示すシーケンスである。ステップ１１＿１（ＳＴ１１＿１）でＰＳ１からリンクチャネル確立要求がくると、ステップ１２＿１（ＳＴ１２＿１）で周辺の接続先基地局３のサーチを行い、見つけた接続先基地局３の識別ＩＤ（ＣＳ−ＩＤ）、受信レベルを取り出す。ステップ１２＿２（ＳＴ１２＿２）でその情報を一時的にメモリに格納しておき、ステップ１２＿３（ＳＴ１２＿３）で接続先基地局３の選択を行う。この時、メモリに格納されている接続先基地局３の情報の中から、受信レベルが一番高い接続先基地局３を選択する。レピータ基地局２は選択された接続先基地局３への接続をステップ１２＿４（ＳＴ１２＿４）で行う。接続時は、リンクチャネル確立要求を、選択した接続先基地局３に送り、リンクチャネル割当の応答が返ってきたら、ＴＣＨ接続を行う。その後、ＰＳ１にリンクチャネル割当をステップ１２＿５（ＳＴ１２＿５）で返す。
【００１０】
レピータ基地局２からのリンクチャネル確立要求に対し、レピータ基地局２との通話を行うためのタイムスロットに空きがない場合には、接続先基地局３は、レピータ基地局２へリンクチャネル割当拒否の応答を返す。リンクチャネル割当拒否の応答が返ってきた場合、レピータ基地局２は次の候補の接続先基地局３へリンクチャネル確立要求を送り、ある接続先基地局３からリンクチャネル割当の応答が返ってくるまで、何回もリンクチャネル確立要求を送る。
【００１１】
【非特許文献１】
社団法人電波産業界発行「第二世代コードレス電話システム」標準規格ＲＣＲ  ＳＴＤ−２８、４．０版  平成１４年３月２８日（改訂）ｐ．４４３−４４６
【００１２】
【発明が解決しようとする課題】
しかしながら従来のＰＨＳ対応レピータ基地局２における接続方式では、ＰＳ１からの発呼のためのリンクチャネル確立要求を受信するたびに、レピータ基地局２〜接続先基地局３間の通話チャネルの割当を行う必要があった。さらに、レピータ基地局２〜接続先基地局３間の通話チャネルの割当に際し、接続先基地局３でレピータ基地局２との通話を行うためのタイムスロットに空きがない場合には、何回も接続先基地局３にリンクチャネル確立要求を送る必要があった。その結果、レピータ基地局２と接続先基地局３間の通話チャネルの接続（ＴＣＨ接続）までに時間がかかってしまうという問題点があった。
【００１３】
本発明は、従来のＰＨＳ対応レピータ基地局における接続方式における問題点を取り除き、レピータ基地局と接続先基地局間の通話チャネルの接続までの時間の短縮を図ることができるＰＨＳ対応レピータ基地局における接続方式を提供することを目的とするものである。
【００１４】
【課題を解決するための手段】
本発明のＰＨＳ対応レピータ基地局（レピータ基地局）における接続方式は、起動時に、周辺の接続先基地局が発信している制御チャネル情報（ＣＣＨ情報）をサーチする手段と、サーチしたＣＣＨ情報を元に接続先基地局を接続先基地局との通信に用いるレピータ基地局の各無線ユニットに割り当てる手段と、接続先基地局との通信に用いるレピータ基地局の各無線ユニットに割り当てられた接続先基地局に接続しておく手段を有することを特徴とするものである。ここで、接続先基地局のサーチ、各無線ユニットの割り当て、接続先基地局との接続は、起動時に限らず、必要な時に行なってもよい。
【００１５】
また、本発明のＰＨＳ対応レピータ基地局における接続方式は、接続先基地局と接続されていた通話チャネルが切断されたときには、前記手段により得られる接続先基地局を接続先基地局との通信用の各無線ユニットの割当て情報に基づき、次候補の接続先基地局へ通話チャネルの接続を行うことを特徴としている。
【００１６】
【発明の実施の形態】
以下本発明の実施形態について、図を参照して説明する。
【００１７】
（実施形態１）
図１に本実施形態のＰＨＳ対応レピータ基地局における接続方式を実現するレピータ基地局２の構成例を示す。図に示すようにレピータ基地局２はＰＳ１〜レピータ基地局２間通信用アンテナ１１、ＰＳ１〜レピータ基地局２間通信用無線ユニット（ＰＳ対応無線ユニット）１２、レピータ基地局２〜接続先基地局３間通信用アンテナ１３、レピータ基地局２〜接続先基地局３間通信用の４つの無線ユニット（以下、「無線ユニット」という。）１４、メモリ１５、制御部１６を有する。メモリ１５には、接続先基地局３に関する情報（ＣＳ−ＩＤ、受信レベル、割り当て無線ユニット）を格納する。尚、接続先基地局３はＰＳ１との接続は行わないようにし、レピータ基地局２との通信が確実に可能なようにしておく。
【００１８】
制御部１６は、マイクロコンピュータなどで構成され、予め周辺の接続基地局３が発信するＣＣＨ情報をサーチする手段１６ａと、サーチした情報を元に接続先基地局３を各無線ユニット１４に割り当てる手段１６ｂと、各無線ユニット１４に割り当てられた接続先基地局３に接続する手段１６ｃをもつ。
【００１９】
予め周辺の接続基地局３が発信するＣＣＨ情報をサーチする手段１６ａは、レピータ基地局２の起動時に動作し、接続先の基地局３を選択し、ＴＣＨ接続を行うために必要な情報をサーチする。サーチの結果得られた受信レベルおよびＣＳ−ＩＤの情報を一旦メモリ１５に保存する。
【００２０】
サーチした情報を元に接続先基地局３を各無線ユニット１４に割り当てる手段１６ｂは、前述のサーチ手段１６ａで得られた受信レベルおよびＣＳ−ＩＤの情報を、受信レベルが高い順に並び替えた後、上から順番に各無線ユニット１４を割り当てる。この結果はメモリ１５に保存する。尚、ＣＣＨ情報をサーチするために使用している無線ユニット１４は割り当てに際し除かれる。以後の説明においては、１番目の無線ユニット１４がＣＣＨ情報サーチに用いられるものとする。
【００２１】
各無線ユニット１４に割り当てられた接続先基地局に接続する手段１６ｃは、それぞれの無線ユニット１４に割り当てられた接続先基地局３の中で最も受信レベルが高い接続先基地局を選択し、その接続先基地局へ通話チャネルの割当の要求（リンクチャネル確立要求）を送り、通話チャネルの接続（ＴＣＨ接続）を行う。
【００２２】
図２はレピータ基地局２内のメモリ１５に格納される周辺の接続先基地局３に関する情報格納のフォーマット例である。受信レベル、ＣＳ−ＩＤ、割り当て無線ユニット１４の番号を一つの接続先基地局３の情報セットとし、サーチして得られたすべての接続先基地局３の情報セットを格納する。
【００２３】
図３は接続先基地局３の割り当て方法を示すフローチャートである。
【００２４】
まず、ステップ１（ＳＴ１）でタイマをスタートさせる。タイマ値は、複数の接続先基地局情報をサーチできる必要十分な時間とし、例えば１〜２秒程度に設定する。ステップ２（ＳＴ２）でタイムアウトかどうかをチェックし、タイムアウトでなければ、ステップ３（ＳＴ３）でＣＣＨ受信を待ち、受信したら、ステップ４（ＳＴ４）で受信したＣＳ−ＩＤをチェックする。この時、新規に受信したものであれば、ステップ５（ＳＴ５）でＣＳ−ＩＤを保存し、ステップ６（ＳＴ６）で受信レベルを保存する。新規に受信したものでなければ、ステップ２（ＳＴ２）に戻る。ステップ２（ＳＴ２）からステップ６（ＳＴ６）までの処理は、タイムアウトするまで繰り返し行われる。
【００２５】
ステップ２（ＳＴ２）でタイムアウトかどうかをチェックしたとき、タイムアウトであれば、サーチ処理を終了し、ステップ７（ＳＴ７）に移行する。ステップ７（ＳＴ７）では、ステップ２（ＳＴ２）からステップ６（ＳＴ６）までの処理サイクルでサーチした情報を、受信レベルが高い順に並び替えて、ステップ８（ＳＴ８）で上から順番に無線ユニット１４を割り当てる。この結果得られる、接続先基地局３ごとのＣＳ−ＩＤ、割り当て無線ユニット１４、受信レベルを、ステップ９（ＳＴ９）で保存する。
【００２６】
図４はレピータ基地局２とＰＳ１間のリンクが確立するまでの、本発明の動作を示すシーケンスである。
【００２７】
レピータ基地局２が起動されると、ステップ２２＿１（ＳＴ２２＿１）で図１に示したサーチ手段１６ａにより周辺の接続基地局３のサーチを行い、見つけた接続基地局３のＣＳ−ＩＤ、受信レベルを取り出す。ステップ２２＿２（ＳＴ２２＿２）でサーチした情報を一時的にメモリに格納する。次いで、ステップ２２＿３（ＳＴ２２＿３）で、図１に示した接続先基地局３を各無線ユニット１４に割り当てる手段１６ｂにより接続先基地局を各無線ユニットに割り当てる。ステップ２２＿４（ＳＴ２２＿４）で、図１に示した接続先基地局に接続する手段１６ｃにより無線ユニット１４毎に選択された接続先基地局３へＴＣＨ接続を行う。その後、ステップ２１＿１（ＳＴ２１＿１）でＰＳからリンクチャネル確立要求がくると、起動時に接続先基地局３と接続されている無線ユニット１４の中で空いている無線ユニットを選択し、ステップ２２＿５（ＳＴ２２＿５）でＰＳ１にリンクチャネル割当の応答を返す。
【００２８】
図５はレピータ基地局２とある接続先基地局３間の電波伝搬状況が悪化した場合に、再接続を行うシーケンスを示す。レピータ基地局２の２番目の無線ユニット１４を介して接続先基地局１とＴＣＨ接続されているとする。この状態で、ステップ３＿１（ＳＴ３＿１）で電波伝搬状況が悪化すると、ステップ３＿２（ＳＴ３＿２）でＴＣＨが切断されてしまう。この時、レピータ基地局２は予め格納しておいた接続先基地局３の情報を元に２番目の無線ユニット１４に接続すべき次の候補の接続先基地局３の情報を取り出す。ステップ３＿３（ＳＴ３＿３）で図１で示した接続先基地局３に接続する手段１６ｃにより取り出した次候補の接続先基地局３、例えば４番目の接続先基地局３へＴＣＨ接続を行うようにする。
【００２９】
【発明の効果】
本発明によれば、ＰＳ１からの発呼のたびに、レピータ基地局２〜接続先基地局３間の通話チャネルの割当を行う必要がなく、さらに、接続先基地局３にリンクチャネル確立要求を何回も送る必要もなくなるため、レピータ基地局２と接続先基地局３間の通話チャネルの接続までの時間を短縮することができる。
【図面の簡単な説明】
【図１】本発明のＰＨＳ対応レピータ基地局における接続方式を実現するレピータ基地局の構成例を示す図。
【図２】本発明における周辺の接続先基地局に関する情報格納のフォーマット例を示す図。
【図３】本発明における接続先基地局の割り当て方法を示すフローチャートを示す図。
【図４】本発明によるレピータ基地局とＰＨＳ移動局間のリンクが確立するまでのシーケンスを示す図。
【図５】本発明におけるレピータ基地局とある接続先基地局間の再接続を行うシーケンスを示す図。
【図６】従来のＰＨＳ対応レピータ基地局を中心とするＰＨＳシステムの構成を示す図。
【図７】従来の接続方式においてＰＨＳ移動局から接続要求があった時のレピータ基地局とＰＨＳ移動局間のリンクが確立するまでのシーケンスを示す図。
【符号の説明】
１  ＰＨＳ移動局（ＰＳ）
２  ＰＨＳ対応レピータ基地局（レピータ基地局）
３  ＰＨＳ対応接続先基地局（接続先基地局）
１１  ＰＳ〜レピータ基地局間通信用アンテナ
１２  ＰＳ〜レピータ基地局間通信用無線ユニット（ＰＳ対応無線ユニット）
１３  レピータ基地局〜接続先基地局間通信用アンテナ
１４  レピータ基地局〜接続先基地局間通信用の無線ユニット（無線ユニット）
１５  メモリ
１６  制御部
１６ａ  制御チャネル情報をサーチする手段
１６ｂ  サーチ情報を元に接続先基地局を各無線ユニットに割り当てる手段
１６ｃ  各無線ユニットに割り当てられた接続先基地局に接続する手段
【図１】
2004254177.tif 000003
【図２】
2004254177.tif 000004
【図３】
2004254177.tif 000005
【図４】
2004254177.tif 000006
【図５】
2004254177.tif 000007
【図６】
2004254177.tif 000008
【図７】
2004254177.tif 000009